【手続補正書】
【提出日】平成16年3月12日(2004.3.12)
【手続補正１】
【補正対象書類名】明細書
【補正対象項目名】全文
【補正方法】変更
【補正の内容】
【発明の名称】電気掃除機
【特許請求の範囲】
【請求項１】塵埃を吸引する吸気口を有する吸込具と、吸引風を発する電動送風機を有する掃除機本体を備え、前記電動送風機と前記吸気口を連通する吸気通路と、前記電動送風機の排気を前記吸込具に還流させる排気通路をそれぞれ有し、前記吸気通路と排気通路を有する前記掃除機本体への吸込具接続部に弁体と、前記弁体の上流側に排気の一部を大気へと放出する排気口を設け、吸込具を前記接続部に接続したとき、弁体が前記排気口を閉塞し、吸込具を前記接続部より外したとき、前記弁体が前記接続部の排気通路の一部もしくは全体を閉塞しかつ前記排気口を開口する電気掃除機。
【発明の詳細な説明】
【０００１】
【発明の属する技術分野】
本発明は、電気掃除機の全体構造に関するものである。
【０００２】
【従来の技術】
従来の排気を吸込具へと還流させる電気掃除機を図４、図５を用いて説明する。吸込具１０を接続する接続部７には、吸気通路５と排気通路６が２重パイプ状に構成されており、内側が吸気通路５、外側が排気通路６となっている。この接続部７に吸込具１０を接続することで排気を吸込具１０へと還流させ、吸込具１０の排出口２２から排気を被掃除面へと吹き付け、それによって被掃除面から遊離した塵埃を吸気口２１より吸引し、吸引された塵埃は気流に乗って集塵室３へと流入し、集塵フィルタ４によって濾過される。濾過された空気は電動送風機２を冷却し、排気の一部は排気通路６を通過して吸込具１０へと再び循環する。これにより、本体１からの排気を低減させることが可能となり、低騒音、かつ清潔な電気掃除機を提供している。
【０００３】
【発明が解決しようとする課題】
しかしながら上記従来の構成では、接続部７から吸込具１０を取り外すと、吸気通路５と排気通路６が隣接しており、排出口２２から排出された排気が吸気通路５に直接吸引されてしまい、吸引力が弱くなり、被掃除面より塵埃を吸引する能力が低下してしまっていた。
【０００４】
本発明は上記課題を解決するもので、排気を吸込具へと還流させる電気掃除機において、吸込具を取り外した状態でも、接続部より直接塵埃を吸引可能な電気掃除機を提供することを目的としている。
【０００５】
【課題を解決するための手段】
上記目的を達成するために本発明は、塵埃を吸引する吸気口を有する吸込具と、吸引風を発する電動送風機を有する掃除機本体を備え、前記電動送風機と前記吸気口を連通する吸気通路と、前記電動送風機の排気を前記吸込具に還流させる排気通路をそれぞれ有し、前記吸気通路と排気通路を有する前記掃除機本体への吸込具接続部に弁体と、前記弁体の上流側に排気の一部を大気へと放出する排気口を設け、吸込具を前記接続部に接続したとき、弁体が前記排気口を閉塞し、吸込具を前記接続部より外したとき、前記弁体が前記接続部の排気通路の一部もしくは全体を閉塞しかつ前記排気口を開口する電気掃除機で、吸込具を前記接続部に接続したとき、吸込具から排気が排気通路にて漏れることなく直接放出され、排気を強力に被掃除面へと吹き付けられ、それによって被掃除面から遊離した塵埃を吸気口より吸引し集塵性能を向上できるとともに、弁体の上流側に排気の一部を大気へと放出する排気口を設けたことで、吸込具を接続部から外したときの吸引力も向上できる。
【０００６】
【発明の実施の形態】
本発明の請求項１記載の発明は、塵埃を吸引する吸気口を有する吸込具と、吸引風を発する電動送風機を有する掃除機本体を備え、前記電動送風機と前記吸気口を連通する吸気通路と、前記電動送風機の排気を前記吸込具に還流させる排気通路をそれぞれ有し、前記吸気通路と排気通路を有する前記掃除機本体への吸込具接続部に弁体と、前記弁体の上流側に排気の一部を大気へと放出する排気口を設け、吸込具を前記接続部に接続したとき、前記弁体が前記排気口を閉塞し、吸込具を前記接続部より外したとき、弁体が前記接続部の排気通路の一部もしくは全体を閉塞しかつ前記排気口を開口する電気掃除機で、吸込具を前記接続部に接続したとき、吸込具から排気が排気通路にて漏れることなく直接放出され、排気を強力に被掃除面へと吹き付けられ、それによって被掃除面から遊離した塵埃を吸気口より吸引し集塵性能を向上できるとともに、弁体の上流側に排気の一部を大気へと放出する排気口を設けたことで、吸込具を接続部から外したときの吸引力も向上できる。
【０００７】
【実施例】
（実施例１）
以下、本発明の実施例について、図１〜図３を用いて説明する。
【０００８】
図１は接続部７に吸込具１０が接続されていない場合で、排気通路６は排気圧によって軸８ａ中心に回動自在な弁体８が押され、前記排気通路６を閉塞しているため、排気は接続部７の側方かつ前記弁体８の上流側に設けた排気口９より大気へと放出され、接続部７の先端からの排気は抑えられている。図２は、接続部７に吸込具１０が接続部７に挿入された状態であり、軸８ａ中心に回動自在な弁体８は、吸込具１０の挿入によって押し開けられる。
【０００９】
図３は、吸込具１０が接続された電気掃除機を表している。１は電気掃除機の本体であり、主部３０と集塵部３１に大別できる。主部３０には電動送風機２、本体排気通路６ａが設けられており、集塵部３１には集塵室３、集塵フィルタ４、吸気通路５、集塵部排気通路６ｂ、接続部７が設けられている。主部３０と集塵部３１は互いに分離可能に構成されており、集塵室３内部に蓄積された塵埃の廃棄は、集塵部３１を主部３０より分離し、集塵フィルタ４を集塵室３より取り外して行う。本体側面には圧力弁３２が設けられており、排気通路６内の圧力がある一定の値を超えた場合に、圧力弁３２が開き排気を大気へと放出する。接続部７は２重の円筒パイプ状に構成されており、外パイプ内面はテーパー状となっており、吸込具１０とテーパー嵌合されて使用される。本実施例では内パイプ内部が吸気通路５と接続され、内パイプと外パイプ間が排気通路６と接続されている。
【００１０】
上記構成による動作を説明すると、吸込具１０を接続部７に接続したとき、吸込具１０の排出口２２から排気が排気通路６にて漏れることなく直接放出され、排気を強力に被掃除面へと吹き付けられ、それによって被掃除面から遊離した塵埃を吸気口２１より吸引し集塵性能を向上できる。
【００１１】
また、吸込具１０を前記吸気通路５と排気通路６を有する接続部７から外したとき、弁体８が排気通路６の一部もしくは全体を閉塞するので、排気が吸気通路５に直接吸引されてしまうことなく、接続部７より直接塵埃を吸引できる。また、弁体８の上流側に、排気の一部を大気へと放出する排気口９を設けたことで、吸込具１０を吸気通路５と排気通路６を有する接続部７から外したとき、弁体８が排気通路６の一部もしくは全体を閉塞したときの排気通路６の圧力損失を低減でき、吸引力および集塵性能を向上できる。
【００１２】
本実施例では、携帯型掃除機の例を挙げているが、これに限定することなく、床移動型掃除機等の掃除機全般に共通する発明である。
【００１３】
【発明の効果】
本発明によれば、排気を吸込具へと還流させる電気掃除機において、吸込具を取り外した状態でも、接続部より直接塵埃を吸引可能な電気掃除機を提供できる。
【図面の簡単な説明】
【図１】本発明の第１の実施例を示す電気掃除機の接続部断面図
【図２】同電気掃除機の吸込具接続時の接続部断面図
【図３】同電気掃除機の全体構成図
【図４】従来の電気掃除機の全体構成図
【図５】同電気掃除機の接続部断面図
【符号の説明】
１  本体
２  電動送風機
５  吸気通路
６  排気通路
７  接続部
８  弁体
９  排気口
１０  吸込具
２１  吸気口
２２  排出口